(57)【要約】【課題】  １本の信号線で記録紙検出センサの有無と記録紙検出信号を判別可能な回路構成を実現する。【解決手段】  記録紙検出センサと、検出センサの出力と並列に分圧手段を接続し、検出センサの出力電圧をアナログ／デジタル変換装置で読み取ることで状態を識別する。【選択図】  図１
2010032889.tif 000002
【特許請求の範囲】
【請求項１】
記録材に画像を形成する画像形成装置において、記録材検出手段と、
該画像形成装置を動作させる為の直流電圧生成手段と、該画像形成装置の動作を司るマイクロコンピュータと、該マイクロコンピュータと接続されるアナログ／デジタル変換装置を備えた制御基板と、フォトインタラプタを備えたセンサー基板と、
該センサー基板の出力電圧を分圧する為の直流電圧分圧手段とを有し、
該直流電圧分圧手段は該記録材検出手段の出力端子と並列に接続され、該センサー基板の出力電圧を該アナログ／デジタル変換装置を介して該マイクロコンピュータに読み込むことで、該センサー基板の有無と該センサーの検知対象の有無を識別する事を特徴とした画像形成装置。
【請求項２】
該マイクロコンピュータが起動した時に該記録材検出手段からの出力電圧を読み込む事で、該記録材検出手段の有無を判別する事を特徴とした画像形成装置。
【請求項３】
前記記録材検出手段は、該直流電圧分圧手段が複数並列に接続され、該直流電圧分圧手段の接続を切り替える事で該画像形成装置の構成を判別する事を特徴とした画像形成装置。
【発明の詳細な説明】
【技術分野】
【０００１】
本発明はレーザプリンタなどの画像形成装置に関するものである。
【背景技術】
【０００２】
従来の画像形成装置について、図５と図６を用いて説明する。図５はレーザプリンタなどの画像形成装置の断面図であり、本図に於いて５１０は記録紙を収容する給紙カセットであり、該給紙カセット５１０の上部には該給紙カセット内の記録紙の有無を検知するカセット紙有無センサ５０２と、カセット給紙ローラ５１１が設けられており、該給紙ローラ５１１の記録紙搬送方向に配置された搬送ローラ５１２によって記録紙が搬送される。該搬送ローラ５１２の下流には電子写真プロセス形成手段が内包されたカートリッジ５１３があり、該プロセスカートリッジ内にある感光ドラム５１４が一次帯電器５０８により一様に帯電され、不図示外部装置からの画像信号により半導体レーザ５０３がON／OFFし、レーザービームがポリゴンミラー５０１に照射され、その反射光が結像レンズ５０４及び反射ミラー５０５を介して感光ドラム５１４上に照射されると感光ドラム５１４の表面には画像信号に対応した潜像が形成される。該プロセスカートリッジ内にある現像装置５２３によって感光ドラム５１４に形成された潜像が可視像となり、搬送された記録紙上に転写ローラ５１５によって転写される。可視像を転写された記録紙は熱定着装置５１８へ向けて搬送され、定着装置５１８に於いて永久画像として定着される。画像が定着した記録紙は排紙ローラ５１７によって機外に排出され、排紙トレイ５１９上に積載される。５０９は画像形成装置を動作させる為の直流電源を生成する回路や、画像形成動作に必要な高電圧生成回路と、マイクロコンピュータを備えた電気基板などが配置されており、画像形成動作を制御している。
【０００３】
５２０は装置から着脱可能となっているオプションカセットであり、該オプションカセット５２０の上部には該オプションカセット内の記録紙の有無を検知するオプションカセット紙有無センサ５２２と、オプションカセット給紙ローラ５２１が設けられており、該電気基板５０９からの該オプションカセットに対して給紙動作指示がされると、該オプションカセット給紙ローラ５２１から該搬送ローラ５１２へ記録紙が搬送され、画像形成動作が行われる。
【０００４】
図６は該オプションカセット５２０と該電気基板５０９との電気的な接続を表したブロック図であり、図６において、１０１は画像形成動作を制御するマイクロコンピュータ、１０３はオプションカセット内に備えられている紙有無検知センサであり、直流電圧Vccから抵抗１０６を介してフォトインタラプタの発光ダイオードに電流が供給されている。フォトインタラプタ１０３の出力端子は抵抗１０７によって直流電圧Vccにプルアップされ、受光トランジスタがＯＮ／ＯＦＦすることで出力電圧が直流電圧Vccとトランジスタのコレクタ-エミッタ間電圧Vceに切り替わり、マイクロコンピュータ１０１が記録紙の有無を検知している。６０１はオプションカセットの記録紙のサイズを設定する為のスイッチであり、プルアップ抵抗６０３〜プルアップ抵抗６０５とスイッチの設定により直流電圧VccとGNDレベルが切り替わる事でマイクロコンピュータ１０１が記録紙のサイズを認識する。
【０００５】
６０２はフォトインタラプタ１０３の有無を検知するための回路であり、コネクタ１０４とコネクタ１０５を介してGNDに接続されているかどうかをマイクロコンピュータ１０１が検知して、フォトインタラプタの有無、並びにオプションカセットの有無を検知している。
【特許文献１】特開昭６３−６６０３０号公報
【発明の開示】
【発明が解決しようとする課題】
【０００６】
上記従来例では、オプションカセットなどのオプション装置が取り付けられている事を検知する為の手段を個別に設けていたため、対応するオプション装置の数に比例して構成が複雑になっていた。また、特にオプションカセットなどで記録紙サイズを設定する場合、対応する記録紙の種類に応じた信号線が必要となり、構成がさらに煩雑になりコストアップ要因となっていた。
【課題を解決するための手段】
【０００７】
上記目的を達成する為に、本出願に係わる請求項１記載の発明は、オプション装置内部に設けられた紙有無センサと並列に分圧手段を接続して、センサ信号の出力電圧をアナログ／デジタル変換装置により読み込んで、電圧値によってオプション装置の構成や記録紙の有無を１本の信号線で検知することを特徴とする。
【０００８】
本出願に関わる請求項２記載の発明は、電源起動時に本体構成を判別する構成であることを特徴とする。
【０００９】
本出願に関わる請求項３記載の発明は、複数の分圧手段を並列に接続する事で電圧を細かく変化させて、記録紙のサイズ設定などより詳細な構成の判別を行う事を特徴とする。
【発明の効果】
【００１０】
以上説明したように、本発明によれば、信号線を増やす事無くオプション装置の有無や構成の判別が可能となる。
【発明を実施するための最良の形態】
【００１１】
次に、本発明の詳細を実施例の記述に従って説明する。
【実施例１】
【００１２】
本発明の第一の実施例を図１と図４を用いて説明する。図１に於いて図６と同じ機能を有するものは同じ番号を付与し、説明を省略する。
【００１３】
１０２はアナログ／デジタル変換装置であり、本実施例ではマイクロコンピュータ１０１に内蔵されている。１０８が本実施例を表す分圧抵抗R2でありフォトインタラプタ１０３の出力端子と並列に接続され、１０７のプルアップ抵抗R１により分圧される構成となっている。
【００１４】
図４は、オプション給紙カセットの有無により変化する電圧範囲を表した図である。図４に示す通り、オプション給紙カセット５２０が接続されていない場合はアナログ／デジタル変換装置に入力される電圧はVccと等しい電圧が入力される。オプション給紙カセット５２０が接続されている場合で、フォトインタラプタの受光側トランジスタがオフの場合には、アナログ／デジタル変換装置に入力される電圧は電源電圧Vccを分圧抵抗Ｒ１とＲ２で分圧した電圧が入力される。オプション給紙カセット５２０が接続されている場合で、フォトインタラプタの受光側トランジスタがオンの場合には、アナログ／デジタル変換装置に入力される電圧はフォトインインタラプタのコレクタ-エミッタ間電圧が入力される。
【００１５】
本回路構成によれば１本の出力信号からオプション装置の有無と、記録紙の有無を判別する事が可能となる。
【実施例２】
【００１６】
本発明の第二の実施例を図２を用いて説明する。図２に於いて図１と同じ機能を有するものは同じ番号を付与し、説明を省略する。
【００１７】
本実施例と第一の実施例の違いは、分圧抵抗２０１がフォトインタラプタ１０３の発光ダイオードが接続されている回路と、フォトインタラプタのコレクタ端子との間に接続されている点である。
【００１８】
本実施例によれば、フォトインタラプタの受光側トランジスタがオフの場合には、アナログ／デジタル変換装置の入力インピーダンスが非常に高い構成になっている為に発光ダイオードのＶｆ電圧が入力される事になる。フォトインタラプタの受光側トランジスタがオンの場合には、アナログ／デジタル変換装置に入力される電圧はフォトインインタラプタのコレクタ-エミッタ間電圧が入力される。
【００１９】
本構成によれば、より安価な構成で同様の機能を実現する事が可能となる。
【実施例３】
【００２０】
本発明の第三の実施例を図３を用いて説明する。図３に於いて図１と同じ機能を有するものは同じ番号を付与し、説明を省略する。
【００２１】
本実施例と第一の実施例の違いは、記録紙のサイズ設定用のスイッチと分圧抵抗３０１〜３０３が、フォトインタラプタのコレクタ端子との間に接続されている点である。
【００２２】
本実施例によれば、記録紙のサイズ設定スイッチをオンオフする事で分圧された電圧値が変化する為、記録紙の有無とサイズ情報が同時に検出可能となる。
【００２３】
尚、本実施例においては、カセット内に紙がある時に記録紙のサイズ情報が必要となることから、紙有りの時にフォトインタラプタの受光側トランジスタはオフになるよう構成されている。
【図面の簡単な説明】
【００２４】
【図１】本発明第一の実施例を示すブロック図。
【図２】本発明第二の実施例を示すブロック図。
【図３】本発明第三の実施例を示すブロック図。
【図４】本発明第一の実施例を示す表。
【図５】画像形成装置の断面図。
【図６】従来例を示すブロック図。
【符号の説明】
【００２５】
１０２  アナログ／デジタル変換装置
１０８  分圧抵抗
１０３  フォトインタラプタ
【図１】
2010032889.tif 000003
【図２】
2010032889.tif 000004
【図３】
2010032889.tif 000005
【図４】
2010032889.tif 000006
【図５】
2010032889.tif 000007
【図６】
2010032889.tif 000008